(57)【要約】    【課題】  各種食材の業務用調理器にふさわしい電磁誘導加熱装置として、その複数の電磁誘導加熱コイルにおける磁力線の相互干渉を防止する。    【解決手段】  ボール鍋や平底鍋、平鉄板などの被加熱物（Ａ）と、その被加熱物（Ａ）の底面に臨むコイル支持ベース（Ｂ）と、その支持ベース（Ｂ）へ全体的な同芯の渦巻き状態として各個に固定支持された巻き径が異なる複数の電磁誘導加熱コイル（Ｃ１）（Ｃ２）とを備え、その電磁誘導加熱コイル（Ｃ１）（Ｃ２）により被加熱物（Ａ）の底面を加熱する電磁誘導加熱装置において、上記電磁誘導加熱コイル（Ｃ１）（Ｃ２）同志の隣り合う内外相互間を、被加熱物（Ａ）の底面から一体的に張り出す環状の仕切りスカート（１）によって、その電磁誘導加熱コイル（Ｃ１）（Ｃ２）の磁力線が干渉しないように遮断した。【選択図】  図３
2005294227.tif 000002
【特許請求の範囲】
【請求項１】
ボール鍋や平底鍋、平鉄板などの被加熱物（Ａ）と、その被加熱物（Ａ）の底面に臨むコイル支持ベース（Ｂ）と、その支持ベース（Ｂ）へ全体的な同芯の渦巻き状態として各個に固定支持された巻き径が異なる複数の電磁誘導加熱コイル（Ｃ１）（Ｃ２）とを備え、その電磁誘導加熱コイル（Ｃ１）（Ｃ２）により被加熱物（Ａ）の底面を加熱する電磁誘導加熱装置において、
上記電磁誘導加熱コイル（Ｃ１）（Ｃ２）同志の隣り合う内外相互間を、被加熱物（Ａ）の底面から一体的に張り出す環状の仕切りスカート（１）によって、その電磁誘導加熱コイル（Ｃ１）（Ｃ２）の磁力線が干渉しないように遮断したことを特徴とする電磁誘導加熱装置。
【請求項２】
環状の仕切りスカート（１）を被加熱物（Ａ）の底面から短かくともコイル支持ベース（Ｂ）による電磁誘導加熱コイル（Ｃ１）（Ｃ２）の支持面まで到達する張り出し長さ（Ｌ）として、その被加熱物（Ａ）の底面へ溶接一体化したことを特徴とする請求項１記載の電磁誘導加熱装置。
【請求項３】
被加熱物（Ａ）の底面中央部に臨む巻き径が小さな中央電磁誘導加熱コイル（Ｃ１）と、同じく被加熱物（Ａ）の底面周辺部に臨む少なくとも１個の巻き径が大きな周辺電磁誘導加熱コイル（Ｃ２）との隣り合う内外相互間に対応位置する環状の仕切りスカート用逃し入れ溝（Ｓ）を、コイル支持ベース（Ｂ）に開口形成したことを特徴とする請求項１又は２記載の電磁誘導加熱装置。
【請求項４】
コイル支持ベース（Ｂ）を被加熱物（Ａ）と対応する断面ほぼＵ字型に弯曲形成して、その被加熱物（Ａ）の受け止め包囲台（Ｍ）から昇降自在に吊り下げることにより、
上記支持ベース（Ｂ）に固定支持された電磁誘導加熱コイル（Ｃ１）（Ｃ２）と、被加熱物（Ａ）における底面との向かい合う上下相互間隙（Ｙ）を広狭調整できるように定めたことを特徴とする請求項３記載の電磁誘導加熱装置。
【請求項５】
コイル支持ベース（Ｂ）を巻き径が小さな中央電磁誘導加熱コイル（Ｃ１）の支持ベース（Ｂ１）と、少なくとも１個の巻き径が大きな周辺電磁誘導加熱コイル（Ｃ２）の支持ベース（Ｂ２）とから成る複数に分割し、
上記支持ベース（Ｂ１）（Ｂ２）の複数をその隣り合う内外相互間に環状の仕切りスカート用逃し入れ溝（Ｓ）が確保される関係状態として、複数の連結ブラケット（１３）（２７）により着脱自在に連結一体化したことを特徴とする請求項３又は４記載の電磁誘導加熱装置。
【請求項６】
巻き径が異なる別個な電磁誘導加熱コイル（Ｃ１）（Ｃ２）同志の隣り合う内外相互間に介挿使用されて、その電磁誘導加熱コイル（Ｃ１）（Ｃ２）により加熱されることとなる環状の仕切りスカート（１）を、ほぼ円錐状又は平坦状の底面から一体的に張り出したことを特徴とする被加熱物。
【発明の詳細な説明】
【技術分野】
【０００１】
本発明は主にホテルやレストラン、病院、学校などでの業務用として、各種食材の調理にふさわしい電磁誘導加熱装置と、そのボール鍋や平底鍋、平鉄板（ホットプレート）などの被加熱物に関する。
【背景技術】
【０００２】
一般に電磁誘導加熱コイルの１個を使用して、ボール鍋や平底鍋、平鉄板（ホットプレート）などの被加熱物（導電性調理器）を電磁誘導加熱する場合、その加熱用インバーターからの供給電力を被加熱物へ効率良く吸収させるために必要な加熱コイルの太さと巻き数は理論的に決まっており、その加熱コイルのリッツ線径が約５mm、同じく巻き数が約２０〜２４回であるとされている関係上、実用的な好ましい一例として、現在最も入手しやすい安価な小出力５KW程度の加熱用インバーターを使えるようにするためには、その加熱コイルの巻き径を大きくとも約２４０mmとして、被加熱物の底面へ臨ませる必要がある。
【０００３】
これを換言すれば、被加熱物が業務用の大型品として、上記加熱コイルの巻き径−約２４０mmよりも過大となる場合には、インダクタンスとの関係上巻き数を増すことができないため、その被加熱物の大型化に応じて１個の加熱コイルを荒く大きな巻き径に粗巻きする必要があり、それだけ大出力の高価な加熱用インバーターを使わざるを得なくなる。
【０００４】
そうすると、その１個の加熱用インバーターでは大きな被加熱物の加熱温度を局部的に高低調整することができず、特に食材の種類やその調理方法などに応じた多様な加熱モードを得られない問題が起り、熱効率にも劣るのである。
【発明の開示】
【発明が解決しようとする課題】
【０００５】
そこで、大きな被加熱物の電磁誘導加熱上、その加熱コイルの別個な複数を全体的な同芯の渦巻き状態として組み合わせ配列設置することにより、上記安価な小出力の加熱用インバーターを使えるようにすることが考えられ、既に実用化されているが、このような電磁誘導加熱装置では加熱コイルに対応する加熱用インバーターの周波数が、その複数の相互間において異なるため、図２０の断面模式図に示す如く、巻き径の小さな中央加熱コイル（Ｃ１）と巻き径の大きな周辺加熱コイル（Ｃ２）との隣り合う内外相互間に、狭くとも約６０mmの間隙（Ｄ）を確保して、その磁力線の相互干渉を防ぐ必要がある。さもなければ、相手方の加熱用インバーターが破壊されてしまう。
【０００６】
そうすると、被加熱物（Ａ）の底面が上記間隙（Ｄ）と対応する位置だけ充分加熱されず、その底面全体の温度分布を均一に保つことができない結果となり、食材の加熱ムラを招来する。
【課題を解決するための手段】
【０００７】
本発明はこのような課題の抜本的な解決を目的としており、その目的を達成するための構成上、請求項１ではボール鍋や平底鍋、平鉄板などの被加熱物と、その被加熱物の底面に臨むコイル支持ベースと、その支持ベースへ全体的な同芯の渦巻き状態として各個に固定支持された巻き径が異なる複数の電磁誘導加熱コイルとを備え、その電磁誘導加熱コイルにより被加熱物の底面を加熱する電磁誘導加熱装置において、
【０００８】
上記電磁誘導加熱コイル同志の隣り合う内外相互間を、被加熱物の底面から一体的に張り出す環状の仕切りスカートによって、その電磁誘導加熱コイルの磁力線が干渉しないように遮断したことを特徴とする。
【０００９】
特に、請求項２では上記請求項１を前提として、環状の仕切りスカートを被加熱物の底面から短かくともコイル支持ベースによる電磁誘導加熱コイルの支持面まで到達する張り出し長さとして、その被加熱物の底面へ溶接一体化したことを特徴とする。
【００１０】
又、請求項３では上記請求項１又は２を前提として、被加熱物の底面中央部に臨む巻き径が小さな中央電磁誘導加熱コイルと、同じく被加熱物の底面周辺部に臨む少なくとも１個の巻き径が大きな周辺電磁誘導加熱コイルとの隣り合う内外相互間に対応位置する環状の仕切りスカート用逃し入れ溝を、コイル支持ベースに開口形成したことを特徴とする。
【００１１】
請求項４では上記請求項３を前提として、コイル支持ベースを被加熱物と対応する断面ほぼＵ字型に弯曲形成して、その被加熱物の受け止め包囲台から昇降自在に吊り下げることにより、
【００１２】
上記支持ベースに固定支持された電磁誘導加熱コイルと、被加熱物における底面との向かい合う上下相互間隙を広狭調整できるように定めたことを特徴とする。
【００１３】
請求項５では上記請求項３又は４を前提として、コイル支持ベースを巻き径が小さな中央電磁加熱コイルの支持ベースと、少なくとも１個の巻き径が大きな周辺電磁誘導加熱コイルの支持ベースとから成る複数に分割し、
【００１４】
上記支持ベースの複数をその隣り合う内外相互間に環状の仕切りスカート用逃し入れ溝が確保される関係状態として、複数の連結ブラケットにより着脱自在に連結一体化したことを特徴とする。
【００１５】
他方、請求項６では上記電磁誘導加熱装置におけるボール鍋や平底鍋、平鉄板（ホットプレート）などの被加熱物として、その構成上巻き径が異なる別個な電磁誘導加熱コイル同志の隣り合う内外相互間に介挿使用されて、その電磁誘導加熱コイルにより加熱されることとなる環状の仕切りスカートを、ほぼ円錐状又は平坦状の底面から一体的に張り出したことを特徴とする。
【発明の効果】
【００１６】
請求項１の上記構成によれば、複数の全体として同芯の渦巻き状態にある電磁誘導加熱コイルの隣り合う内外相互間が、被加熱物の底面から一体的に張り出す環状の仕切りスカートを介して遮断されているため、その電磁誘導加熱コイルの各個に独立した磁力線となり、その磁力線の相互干渉による加熱用インバーターの破壊や違和音の発生などを防止でき、しかも仕切りスカートがこれと隣接する電磁誘導加熱コイルからの磁力線を吸収して、被加熱物に伝熱作用する結果、あたかも１個の電磁誘導加熱コイルを使用した如く、その被加熱物の底面全体を均一な温度分布状態に加熱し得る効果がある。
【００１７】
特に、請求項２の構成を採用するならば、上記磁力線の相互干渉を一層確実に安定良く防止し得るほか、被加熱物の底面に対する仕切りスカートの溶接によって、その仕切りスカートから被加熱物への伝熱面積を調整できる効果もある。
【００１８】
請求項３に記載の構成を採用するならば、被加熱物の底面から張り出す仕切りスカートの長さを、そのコイル支持ベースの対応位置する仕切りスカート用逃し入れ溝の内部へ、制約なく臨ませることができ、被加熱物との位置合わせ調整も容易に行なえる。
【００１９】
又、請求項４に記載の構成を採用するならば、被加熱物として比較的大型の深いボール鍋や平底鍋を採用する場合に、その底面と電磁誘導加熱コイルとの向かい合う上下相互間隙を広狭調整できる利便性があり、このことは請求項５の構成を採用することによって、一層向上する。
【００２０】
他方、ボール鍋や平底鍋、平鉄板（ホットプレート）などの被加熱物として、請求項６の構成を採用するならば、その電磁誘導加熱する使用中に上記磁力線の相互干渉を防止できるばかりでなく、そのための仕切りスカートによって被加熱物自身を増強することも可能となり、耐用性の向上に役立つ。
【発明を実施するための最良の形態】
【００２１】
以下、図面に基いて本発明の具体的構成を詳述すると、図１〜１４はその本発明の電磁誘導加熱装置を示しており、これはボール鍋や平底鍋、平鉄板（ホットプレート）などの被加熱物（Ａ）と、その被加熱物（Ａ）の底面に臨むコイル支持ベース（Ｂ）と、その支持ベース（Ｂ）へ全体的な同芯の渦巻き状態として、各個に固定支持された巻き径が異なる複数（図例では合計２個）の電磁誘導加熱コイル（Ｃ１）（Ｃ２）とから成る。
【００２２】
先ず、被加熱物（Ａ）として図例では各種食材収納用のボール鍋を示しており、これは一定な厚み（例えば約３mm）の銅板から例えば約１９０リットルの容量に作成されている。しかも、そのほぼ円錐状の底面にはやはり銅板から成る一定な張り出し長さ（Ｌ）（例えば約２５mm）の環状仕切りスカート（１）が、好ましくは底面と直交する指向状態に溶接一体化されている。その仕切りスカート（１）の一定な厚み（Ｔ）はボール鍋（Ａ）の底面よりも厚く、例えば約６mmである。
【００２３】
このようなボール鍋（Ａ）の底面から一体的に張り出す環状の仕切りスカート（１）は、図１〜５に示す如く、コイル支持ベース（Ｂ）に固定支持された巻き径が異なる電磁誘導加熱コイル（Ｃ１）（Ｃ２）同志の隣り合う内外相互間を遮断できる対応的な位置関係として、その相互間へ介挿使用されることになり、上記電磁誘導加熱コイル（Ｃ１）（Ｃ２）の磁力線が干渉し合う悪影響を無くすものである。
【００２４】
上記ボール鍋（Ａ）の底面とこれから張り出す環状の仕切りスカート（１）には、磁性体である鉄粉などの発熱被膜（２）が溶着一体化されることにより、導電性が与えられている。但し、そのボール鍋（Ａ）と仕切りスカート（１）を鉄板や、鉄とステンレスとのクラッド鋼板、アルミとステンレスとのクラッド鋼板、その他の磁性体である金属板から作成しても良く、又上記仕切りスカート（１）を図５と対応する図６の変形実施形態に示す如く、ボール鍋（Ａ）の底面から非直交状態に張り出し垂下させてもさしつかえない。
【００２５】
（Ｍ）は上記ボール鍋用受け止め包囲台であって、ステンレス鋼板から一定深さに枠組み一体化されており、その天板（３）から連続的に垂立する環状の受け座（４）によって、ボール鍋（Ａ）の開口リムフランジ（５）を安定良く受け止め支持する。（６）は同じく受け止め包囲台（Ｍ）の天板（３）から一体的に垂下された複数（図例では合計１２本）のハンガーボルトであって、コイル支持ベース（Ｂ）を安定良く吊り下げるため、その２本づつの１組として全体的な放射対称分布型に点在している。（７）は上記受け止め包囲台（Ｍ）の下端部から内向き一体的に張り出された環状の底板である。
【００２６】
次に、コイル支持ベース（Ｂ）は巻き径の小さな中央電磁誘導加熱コイル支持ベース（Ｂ１）と、巻き径の大きな周辺電磁誘導加熱コイル支持ベース（Ｂ２）との分割された複数から、その全体的にボール鍋（Ａ）の底面とほぼ対応する大きさ・形状（円錐状）の包囲篭として組み立てられており、そのコイル支持ベース（Ｂ１）（Ｂ２）同志の隣り合う内外相互間には上記ボール鍋（Ａ）の環状仕切りスカート用逃し入れ溝（Ｓ）が開口形成されている。
【００２７】
即ち、中央電磁誘導加熱コイル（Ｃ１）の支持ベース（Ｂ１）はボール鍋（Ａ）の中心部に臨む径小（例えば直径−約５５mm）な１個の集束スリーブ（８）と、その中心部の集束スリーブ（８）から放射方向へ一体的に派出する多数（図例では合計２４本）の放射スポーク（９）と、その放射スポーク（９）の派出先端部から屈曲垂下した脚杆部（９ａ）の下端へ、悉く溶接一体化された径大（例えば直径−約７００mm）な縁取り環（１０）とを備えている。
【００２８】
（１１）はその縁取り環（１０）へ全体的な放射対称分布型として、各々固定ビス（１２）により脱落不能に取り付けられた複数（図例では合計６個）のアングル状支持ステー、（１３）はその各支持ステー（１１）の真下位置に対応分布する連結ブラケットであり、これから一体的に垂立するスタッドボルト（１４）が、上記支持ステー（１１）へ差し込み貫通された上、昇降調整ナット（１５）を介して締結固定されている。
【００２９】
その場合、上記集束スリーブ（８）は硬質な合成樹脂やベークライトなどの電気絶縁材から、図１０のような円板型をなし、その中心部には電磁誘導加熱コイル用の導通配線口（１６）が、同じく集束スリーブ（８）の周辺部には多数の放射スポーク用受け入れ孔（１７）が各々開口形成されており、ここへ上記放射スポーク（９）の脚杆部（９ａ）が図９のような集束状態に差し込み係止されている。（１８）はその集束部を固定する被覆状態に塗布されたシリコン系のコーティング剤である。
【００３０】
他方、周辺電磁誘導加熱コイル（Ｃ２）の支持ベース（Ｂ２）は上記ボール鍋（Ａ）の開口径（例えば約８６６mm）よりも径大（例えば直径−約９１０mm）な縁取り環（１９）と、これから求心方向へ上記中央電磁誘導加熱コイル支持ベース（Ｂ１）側の放射スポーク（９）と同じ配列分布状態として、一体的に派出する多数（図例ではやはり合計２４本）の求心スポーク（２０）と、その求心スポーク（２０）の派出先端部から屈曲垂下した脚杆部（２０ａ）を受け止めるスポーク保持環（２１）とから成る。
【００３１】
茲に、スポーク保持環（２１）は硬質な合成樹脂やベークライトなどの電気絶縁材から、上記中央電磁誘導加熱コイル支持ベース（Ｂ１）側の縁取り環（１０）よりも或る程度だけ径大（例えば直径−約７２０mm）に造形されており、このようなスポーク保持環（２１）へ上記求心スポーク（２０）の脚杆部（２０ａ）が悉く差し込み固定されている。
【００３２】
（２２）は上記周辺電磁誘導加熱コイル支持ベース（Ｂ２）の縁取り環（１９）へやはり全体的な放射対称分布型として、各々固定ビス（２３）により脱落不能に取り付けられた複数（図例では合計６個）のアングル状ハンガーステーであり、これが上記ボール鍋用受け止め包囲台（Ｍ）の天板（３）から２本づつの１組として垂下しているハンガーボルト（６）へ差し込まれ、且つ昇降調整ナット（２４）を介して締結固定されている。
【００３３】
又、（２５）は同じく周辺電磁誘導加熱コイル支持ベース（Ｂ２）を形作る上記スポーク保持環（２１）の下面へ全体的な放射対称分布型として、各々固定ビス（２６）により脱落不能に取り付けられた複数（図例ではやはり合計６個）のアングル状支持ステー、（２７）はその各支持ステー（２５）の真下位置に対応分布する連結ブラケットであり、これから一体的に垂立するスタッドボルト（２８）が、上記支持ステー（２５）へ差し込み貫通された上、昇降調整ナット（２９）を介して締結固定されている。
【００３４】
そして、このような周辺電磁誘導加熱コイル支持ベース（Ｂ２）側の連結ブラケット（２７）と、上記中央電磁誘導加熱コイル支持ベース（Ｂ１）側の対応位置する連結ブラケット（１３）とが、各々連結ボルト（３０）を介して着脱自在に連結一体化されている。しかも、上記周辺電磁誘導加熱コイル支持ベース（Ｂ２）側の連結ブラケット（２７）は各々ボルト・ナット（３１）によって、上記ボール鍋用受け止め包囲台（Ｍ）から内向き一体的に張り出す環状の底板（７）へ取り付け固定されている。
【００３５】
（３２）はそのボール鍋用受け止め包囲台（Ｍ）の底板（７）に対する上記連結ブラケット（２７）の取り付け用ボルト・ナット（３１）を兼用して、その底板（７）から吊り下げられた漏斗型のカバー環であり、その中央部には硬質な合成樹脂製の防水板（３３）が固定されている。
【００３６】
つまり、中央電磁誘導加熱コイル支持ベース（Ｂ１）と周辺電磁誘導加熱コイル支持ベース（Ｂ２）とから上記ボール鍋（Ａ）の底面を包囲するコイル支持ベース（Ｂ）は、全体としてボール鍋用受け止め包囲台（Ｍ）の就中天板（３）から吊り下げられているわけであり、その中央電磁誘導加熱コイル支持ベース（Ｂ１）側の放射スポーク（９）から屈曲垂下した脚杆部（９ａ）と、周辺電磁誘導加熱コイル支持ベース（Ｂ２）側の求心スポーク（２０）から対応的に屈曲垂下した脚杆部（２０ａ）との向かい合う内外相互間が、一定な開口幅（Ｗ）（例えば約１７mm）の環状仕切りスカート用逃し入れ溝（Ｓ）として区画形成されている。
【００３７】
更に言えば、上記被加熱物のボール鍋（Ａ）をその受け止め包囲台（Ｍ）の受け座（４）へ係止させた使用状態において、そのボール鍋（Ａ）の底面から一体的に張り出す環状の仕切りスカート（１）が、必らずや上記逃し入れ溝（Ｓ）の就中入口部へ臨むこととなり、中央電磁誘導加熱コイル支持ベース（Ｂ１）に固定支持された中央電磁誘導加熱コイル（Ｃ１）と、周辺電磁誘導加熱コイル支持ベース（Ｂ２）に固定支持された周辺電磁誘導加熱コイル（Ｃ２）との向かい合う内外相互間を遮断できるようになっているのである。
【００３８】
尚、上記中央電磁誘導加熱コイル支持ベース（Ｂ１）の放射スポーク（９）と縁取り環（１０）や、周辺電磁誘導加熱コイル支持ベース（Ｂ２）の求心スポーク（２０）と縁取り環（１９）は、例えば直径−約４〜６mmのステンレス鋼棒やアルミ丸棒、その他の金属材から成り、その悉くガラス繊維などの電気絶縁テープ（３４）によって被覆されている。
【００３９】
但し、上記中央電磁誘導加熱コイル支持ベース（Ｂ１）の縁取り環（１０）と周辺電磁誘導加熱コイル支持ベース（Ｂ２）の縁取り環（１９）は、何れも電流の流れる無端な閉鎖回路を形作らないように、その任意な中途部での切り離された端部同志が図１１の拡大図に示す如く、向かい合う一対の電気絶縁板（３５）とその複数（図例では合計４本）の貫通ボルト（３６）並びに固定ナット（３７）を介して、各々強固に締結一体化されている。
【００４０】
図例の場合、上記コイル支持ベース（Ｂ１）（Ｂ２）に固定支持された電磁誘導加熱コイル（Ｃ１）（Ｃ２）の直径が何れも約８mmとして、これらとボール鍋（Ａ）の底面との向かい合う上下相互間隙（Ｙ）が約１０mmに寸法化されているけれども、上記中央電磁誘導加熱コイル支持ベース（Ｂ１）の支持ステー（１１）は連結ブラケット（１３）のスタッドボルト（１４）へ、又周辺電磁誘導加熱コイル支持ベース（Ｂ２）の支持ステー（２５）とハンガーステー（２２）は、その対応的な連結ブラケット（２７）のスタッドボルト（２８）とボール鍋用受け止め包囲台（Ｍ）のハンガーボルト（６）へ、何れも昇降調整ナット（２９）（２４）を介して締結されているため、その昇降操作により上記ボール鍋（Ａ）の底面と電磁誘導加熱コイル（Ｃ１）（Ｃ２）との向かい合う上下相互間隙（Ｙ）を広狭に調整することができる。
【００４１】
又、図例では上記コイル支持ベース（Ｂ１）（Ｂ２）における環状の仕切りスカート用逃し入れ溝（Ｓ）が、約１７mmの開口幅（Ｗ）として区画形成されていると共に、ボール鍋（Ａ）の底面からその仕切りスカート用逃し入れ溝（Ｓ）の入口部まで、約２５mmの一定長さ（Ｌ）だけ張り出す環状の仕切りスカート（１）と、これに隣接する電磁誘導加熱コイル（Ｃ１）（Ｃ２）との向かい合う内外相互間隙（Ｘ）が、各々約１０mmの均等に寸法化されているけれども、上記支持ステー（１１）（２５）に開口するスタッドボルト（１４）（２８）の受け入れ孔（図示省略）と、上記ハンガーステー（２２）に開口するハンガーボルト（６）の受け入れ孔（図示省略）とを、何れも内外方向へ延在する水平な長孔として開口させることにより、上記電磁誘導加熱コイル（Ｃ１）（Ｃ２）とその仕切りスカート（１）との内外相互間隙（Ｘ）も広狭に調整することができる。
【００４２】
このようなボール鍋（Ａ）の包囲篭として枠組み造形されたコイル支持ベース（Ｂ）のうち、その中央電磁誘導加熱コイル支持ベース（Ｂ１）にはボール鍋（Ａ）の底面中央部を加熱する巻き径の小さな中央電磁誘導加熱コイル（Ｃ１）が、又周辺電磁誘導加熱コイル支持ベース（Ｂ２）には同じくボール鍋（Ａ）の底面周辺部を加熱する巻き径の大きな周辺電磁誘導加熱コイル（Ｃ２）が、その何れも上方から固定設置されていることは言うまでもない。その中央電磁誘導加熱コイル（Ｃ１）によるボール鍋（Ａ）の加熱面積と、周辺電磁誘導加熱コイル（Ｃ２）によるボール鍋（Ａ）の加熱面積は、そのほぼ均等に関係設定されている。
【００４３】
上記電磁誘導加熱コイル（Ｃ１）（Ｃ２）の複数は先に例示した直径−約８mmの銅線（リッツ線）から、同芯の渦巻き状態に粗巻き又は密巻きされており、しかもこれらとその対応的なコイル支持ベース（Ｂ１）（Ｂ２）の放射スポーク（９）や求心スポーク（２０）との交叉部が、図１２のように各々ガラス繊維などの電気絶縁紐（３８）によって結束されている。
【００４４】
（Ｆ１）（Ｆ２）は上記中央電磁誘導加熱コイル（Ｃ１）と周辺電磁誘導加熱コイル（Ｃ２）へ、交互に位相変化する全体的な放射対称分布型（千鳥配列状態）として点在された複数づつ（図例では合計１２個づつ）の磁束調整板であって、何れもフェライトコアーなどの強磁性体から成り、磁力線の間隔を均等化すべく調整作用する。このような磁束調整板（Ｆ１）（Ｆ２）は各々上記放射スポーク（９）同志の隣り合う相互間や、上記求心スポーク（２０）同志の隣り合う相互間に位置しつつ、その中央電磁誘導加熱コイル（Ｃ１）や周辺電磁誘導加熱コイル（Ｃ２）へ、やはりガラス繊維などの電気絶縁紐（３９）によって結束されている。
【００４５】
そして、上記中央電磁誘導加熱コイル（Ｃ１）と周辺電磁誘導加熱コイル（Ｃ２）は図１３の制御回路から明白なように、その対応的に並列する加熱用インバーター（４０）（４１）と接続配線されており、これらから高周波電流の供給を受けるようになっている。図例の場合、その加熱用インバーター（４０）（４１）の出力は何れも約１５ＫＷ、その電流の周波数は約２０〜５０ＫＨＺである。
【００４６】
そのため、加熱用インバーター（４０）（４１）から上記中央電磁誘導加熱コイル（Ｃ１）と周辺電磁誘導加熱コイル（Ｃ２）へ各別に高周波電流を供給して、ボール鍋（Ａ）と交差する磁束を発生させれば、そのボール鍋（Ａ）の底面に渦電流が流れ、これが通路となるボール鍋（Ａ）の抵抗によって電力損失を生じ、その発生したジュール熱によりボール鍋（Ａ）の底面が加熱されることとなる。
【００４７】
その際、中央電磁誘導加熱コイル（Ｃ１）と周辺電磁誘導加熱コイル（Ｃ２）との隣り合う内外相互間は、ボール鍋（Ａ）の底面から一体的に張り出す環状の仕切りスカート（１）によって遮断されているため、その仕切りスカート（１）が中央電磁誘導加熱コイル（Ｃ１）と周辺電磁誘導加熱コイル（Ｃ２）の磁力線を吸収して加熱され、これからの伝熱作用によりボール鍋（Ａ）の底面全体を図１４のように、あたかも１個の電磁誘導加熱コイルによって加熱した如く、その均一な温度分布に保つことができるのである。
【００４８】
殊更、図例の上記数値から示唆されるように、環状仕切りスカート（１）の厚み（Ｔ）をボール鍋（Ａ）の底面よりも厚肉化すると共に、その底面からの張り出し長さ（Ｌ）を短かくともコイル支持ベース（Ｂ）による電磁誘導加熱コイル（Ｃ１）（Ｃ２）の支持面まで到達する寸法として、ボール鍋（Ａ）へ溶接一体化するならば、これと隣り合う電磁誘導加熱コイル（Ｃ１）（Ｃ２）の磁力線を確実に吸収し尽くて、その電磁誘導加熱コイル（Ｃ１）（Ｃ２）同志の内外相互間隙と対応位置するボール鍋（Ａ）の底面も安定良く加熱することができるのであり、その底面の部分的な加熱ムラを生じるおそれがない。
【００４９】
又、上記仕切りスカート（１）からボール鍋（Ａ）の底面に波及する伝熱作用は、その仕切りスカート（１）の面積のみならず、ボール鍋（Ａ）の底面に対する溶接の面積によっても調整することができる。他方、複数の電磁誘導加熱コイル（Ｃ１）（Ｃ２）は並列する各別の加熱用インバーター（４０）（４１）に接続配線されているため、例えば上記ボール鍋（Ａ）の底面中央部のみをその中央電磁誘導加熱コイル（Ｃ１）によって、独立に加熱したり、ボール鍋（Ａ）の底面中央部と底面周辺部とを意図的に異なる加熱温度として加熱したりすることも可能となり、食材の種類やその調理方法などに応じた希望の多様な加熱モードを得られるのである。
【００５０】
図１５〜１８は各種食材の攪拌機に組み込んだ本発明の使用例を示しており、上記ボール鍋用受け止め包囲台（Ｍ）が攪拌機における据付け機筐（４２）（４３）の左右相互間へ、水平な回動鞘筒（４４）（４５）を介して転倒自在に枢支されている。（４６）（４７）はそのボール鍋用受け止め包囲台（Ｍ）から一体的に張り出す回動鞘筒（４４）（４５）の軸受フランジであり、上記据付け機筐（４２）（４３）の壁面に各々取り付け固定されている。
【００５１】
その場合、ボール鍋用受け止め包囲台（Ｍ）の左右両側面には、上記回動鞘筒（４４）（４５）の内部と連通する通風口（４８）（４９）の向かい合う一対が開口形成されている。（５０）はその一方（図１８の左側）の回動鞘筒（４４）へ通風ダクト（５１）を介して接続された送風ファンであり、これから図１８の矢印方向へ上記ボール鍋（Ａ）を包囲する如く送風して、その電磁誘導加熱装置の電磁誘導加熱コイル（Ｃ１）（Ｃ２）を冷却するようになっている。その送風ファン（５０）は同じ一方の据付け機筐（４２）に内蔵されているが、その据付け機筐（４２）の外部から吸気し得る。先に一言した電磁誘導加熱用インバーター（４０）（４１）の複数も、その一方の据付け機筐（４２）に内蔵設置されている。
【００５２】
（５２）は他方（図１８の右側）の回動鞘筒（４５）からカバーフランジ（５３）を介して、その他方の据付け機筐（４３）内まで一体回動し得るように延長された回動芯軸であり、これにはウォームホイール（５４）が嵌め付け一体化されている。そのウォームホイール（５４）と噛合したウォーム（５５）を回動操作ハンドル（５６）によって、上記据付け機筐（４３）の外部から回動させれば、ボール鍋用受け止め包囲台（Ｍ）が図１６の鎖線に示す如く転倒し、そのボール鍋（Ａ）から調理済みの食材を前下方へ便利良く取り出せるようになっている。（５７）は上記回動鞘筒（４５）のカバーフランジ（５３）に開口分布された排気孔であり、その回動鞘筒（４５）の内部と連通していることは言うまでもない。
【００５３】
又、（５８）は同じ他方の据付け機筐（４３）上へ、片持ち状態に搭載された駆動ボックスであって、上記ボール鍋（Ａ）の真上位置まで水平に張り出し延長されている。（５９）はその駆動ボックス（５８）内の基端部に支架された攪拌羽根回転用の駆動モーターであり、同じく駆動ボックス（５８）の張り出し先端部から垂下する攪拌センター軸（６０）と、無端な伝動チェン（６１）を介して伝動連結されている。（６２）（６３）はその攪拌センター軸（６０）から偏心して、その廻りを公転運動する攪拌羽根と加熱温度センサーであり、その何れもボール鍋（Ａ）の内部へ上方から挿入されている。
【００５４】
（６４）は上記駆動ボックス（５８）の基端部から据付け機筐（４３）の内部へ一体的に垂下された前後一対の支持ステーであり、その下端部を貫通する水平な回動支軸（６５）が、上記据付け機筐（４３）内のピローブロック（６６）によって軸受けされている。（６７）はその支持ステー（６４）の前後相互間に介在しつつ、上記回動支軸（６５）へ嵌め付け一体化されたウォームホイールであり、これと噛合したウォーム（６８）を回動操作ハンドル（６９）によって、上記据付け機筐（４３）の外部から回動させれば、駆動ボックス（５８）が図１５の鎖線に示す如く、その回動支軸（６５）を中心として起し上げられることになり、上記攪拌羽根（６２）と加熱温度センサー（６３）をボール鍋（Ａ）の内部から抜き出すことができる。その結果、上記ボール鍋（Ａ）の受け止め包囲台（Ｍ）を転倒させることも可能となる。
【００５５】
尚、図１３の制御回路に記入した符号（７０）は操作パネルであり、上記した一方の据付け機筐（４２）に付属設置されている。（７１）は攪拌羽根回転用の駆動モーター（５９）を制御するインバーターである。
【００５６】
更に、図１９は業務用の炊飯器に組み込んだ本発明の別な使用例を示しており、これから明白なように、その本発明の被加熱物としては底面が平坦状の鍋（Ａ）を採用しても良く、又コイル支持ベース（Ｂ）としても複数の電磁誘導加熱コイル（Ｃ１）（Ｃ２）を支持できる強度がある限り、その共通する大型品の１個へ、中央電磁誘導加熱コイル（Ｃ１）と周辺電磁誘導加熱コイル（Ｃ２）とを全体的な同芯の渦巻き状態として固定支持させてもさしつかえない。その他の構成や環状仕切りスカート（１）の作用は図１〜１４の上記実施形態と実質的に同一であるため、その図１９に図１〜１４との上記対応符号を記入するにとどめて、その詳細な説明を省略する。
【図面の簡単な説明】
【００５７】
【図１】本発明に係る被加熱物の半欠截断面図である。
【図２】図１の底面図である。
【図３】本発明の電磁誘導加熱装置を示す断面図である。
【図４】図３の部分拡大図である。
【図５】図４の部分拡大図である。
【図６】図５に対応する変形実施形態の部分拡大図である。
【図７】コイル支持ベースに固定支持された電磁誘導加熱コイルを示す平面図である。
【図８】図７の部分拡大図である。
【図９】同じく図７の部分拡大断面図である。
【図１０】集束スリーブを抽出して示す平面図である。
【図１１】縁取り環の切り離し連結状態を示す部分拡大断面図である。
【図１２】コイル支持ベースに対する電磁誘導加熱コイルと磁束調整板の結束状態を示す部分拡大断面図である。
【図１３】本発明の電磁誘導加熱装置の制御回路図である。
【図１４】本発明の加熱温度分布を示す断面模式図である。
【図１５】本発明の電磁誘導加熱装置を業務用の食材攪拌機に組み込んだ使用例の正面図である。
【図１６】図１５の側面図である。
【図１７】図１５の平面図である。
【図１８】図１５の拡大断面図である。
【図１９】本発明の電磁誘導加熱装置を業務用炊飯器に組み込んだ使用例の概略断面図である。
【図２０】図１４に対応する従来の加熱温度分布を示す断面模式図である。
【符号の説明】
【００５８】
（１）・環状仕切りスカート
（２）・発熱被膜
（６）・ハンガーボルト
（８）・集束スリーブ
（９）・放射スポーク
（９ａ）・脚杆部
（１０）・縁取り環
（１１）・支持ステー
（１２）・固定ビス
（１３）・連結ブラケット
（１４）・スタッドボルト
（１５）・昇降調整ナット
（１９）・縁取り環
（２０）・求心スポーク
（２０ａ）・脚杆部
（２１）・スポーク保持環
（２２）・ハンガーステー
（２３）・固定ビス
（２４）・昇降調整ナット
（２５）・支持ステー
（２６）・固定ビス
（２７）・連結ブラケット
（２８）・スタッドボルト
（２９）・昇降調整ナット
（３０）・連結ボルト
（３１）・ボルト・ナット
（３２）・カバー環
（３３）・防水板
（３５）・電気絶縁板
（３６）・貫通ボルト
（３７）・固定ナット
（３８）（３９）・電気絶縁紐
（４０）（４１）・加熱用インバーター
（４２）（４３）・据付け機筐
（４４）（４５）・回動鞘筒
（５０）・送風ファン
（５１）・通風ダクト
（５２）・回動芯軸
（５４）・ウォームホイール
（５５）・ウォーム
（５６）・回動操作ハンドル
（５８）・駆動ボックス
（５９）・攪拌羽根回転用駆動モーター
（６０）・攪拌センター軸
（６１）・伝動チェン
（６２）・攪拌羽根
（６３）・加熱温度センサー
（６５）・回動支軸
（６７）・ウォームホイール
（６８）・ウォーム
（６９）・回動操作ハンドル
（７０）・操作パネル
（Ａ）・被加熱物（ボール鍋）
（Ｂ）・コイル支持ベース
（Ｂ１）・中央電磁誘導加熱コイル支持ベース
（Ｂ２）・周辺電磁誘導加熱コイル支持ベース
（Ｃ１）・中央電磁誘導加熱コイル
（Ｃ２）・周辺電磁誘導加熱コイル
（Ｆ１）（Ｆ２）・磁束調整板
（Ｌ）・仕切りスカートの張り出し長さ
（Ｍ）・ボール鍋用受け止め包囲台
（Ｓ）・仕切りスカート用逃し入れ溝
（Ｔ）・仕切りスカートの厚み
（Ｗ）・開口幅
（Ｘ）・内外相互間隙
（Ｙ）・上下相互間隙
【図１】
2005294227.tif 000003
【図２】
2005294227.tif 000004
【図３】
2005294227.tif 000005
【図４】
2005294227.tif 000006
【図５】
2005294227.tif 000007
【図６】
2005294227.tif 000008
【図７】
2005294227.tif 000009
【図８】
2005294227.tif 000010
【図９】
2005294227.tif 000011
【図１０】
2005294227.tif 000012
【図１１】
2005294227.tif 000013
【図１２】
2005294227.tif 000014
【図１３】
2005294227.tif 000015
【図１４】
2005294227.tif 000016
【図１５】
2005294227.tif 000017
【図１６】
2005294227.tif 000018
【図１７】
2005294227.tif 000019
【図１８】
2005294227.tif 000020
【図１９】
2005294227.tif 000021
【図２０】
2005294227.tif 000022